(57)【要約】【課題】電子装置システムおよび電子装置システム内で低電力消耗を維持し、位置決め機能を提供する方法を提供する。【解決手段】電子装置システムは、第一装置および第二装置を含む。第一装置制御システムが作動し、少なくともノーマルモードおよび低電力消耗のスリープモードで操作する。第一装置は、少なくともひとつのウェークアップ条件を運ぶ条件設定信号を発した後、ノーマルモードからスリープモードに切り換わる。第一装置は、中断指示信号受信後、スリープモードからノーマルモードに切り換わる。第二装置は第一装置に結合され、複数の衛星信号を連続受信ならびに処理して、位置情報を取得する。第二装置は、第一装置から、条件設定信号を受信し、位置情報に従って、ウェークアップ条件が成立するか判断する。ウェークアップ条件が成立するとき、第二装置は中断指示信号を発する。【選択図】図１
2013171591.tif 000002
【特許請求の範囲】
【請求項１】
電子装置システムであって、
システム操作を制御し、少なくともひとつのノーマルモードおよび前記ノーマルモードよりも低電力消耗のスリープモードで操作し、少なくともひとつのウェークアップ条件を運ぶ条件設定信号を発信して、前記ノーマルモードから前記スリープモードに切り換わり、中断指示信号受信後、前記スリープモードから前記ノーマルモードに切り換わる第一装置と、
前記第一装置に結合され、複数の衛星信号を連続して受信および処理をして、位置情報を取得し、前記第一装置から前記条件設定信号を受信して、前記位置情報に従って、前記ウェークアップ条件が成立するか判断し、前記ウェークアップ条件が成立するとき、前記中断指示信号を発信する第二装置と、
を含むことを特徴とするシステム。
【請求項２】
前記第一装置と前記第二装置は別々のチップであることを特徴とする請求項１に記載の電子装置システム。
【請求項３】
前記第一装置と前記第二装置は１つのチップで構成されていることを特徴とする請求項１に記載の電子装置システム。
【請求項４】
前記第一装置に結合されて、リアルタイムで前記位置情報を表示する第三装置を含み、
前記第一装置が前記スリープモードであるとき、前記第三装置は前記位置情報を表示しないことを特徴とする請求項１に記載の電子装置システム。
【請求項５】
前記中断指示信号を発信した後、
前記第二装置は、前記位置情報を前記第一装置に伝送し、
前記第一装置が、前記第三装置に、前記位置情報を表示するように指示することを特徴とする請求項４に記載の電子装置システム。
【請求項６】
前記ウェークアップ条件は目標速度を含み、
前記第二装置は、前記位置情報に従って、現在の速度を推定し、
前記現在の速度が前記目標速度に達する時、前記第二装置は前記中断指示信号を発信することを特徴とする請求項１に記載の電子装置システム。
【請求項７】
前記ウェークアップ条件は目標高度を含み、
前記第二装置は、前記位置情報に従って、現在の高度を推定し、
前記現在の高度が前記目標高度に達する時、前記第二装置は前記中断指示信号を発信することを特徴とする請求項１に記載の電子装置システム。
【請求項８】
前記ウェークアップ条件は目標位置を含み、
前記第二装置は、前記位置情報に従って、現在の位置を推定し、
前記現在の位置が前記目標位置に達する時、前記第二装置は前記中断指示信号を発信することを特徴とする請求項１に記載の電子装置システム。
【請求項９】
前記ウェークアップ条件は目標時間を含み、
前記第二装置は、前記位置情報に従って、現在の時間を取得し、
前記現在の時間が前記目標時間に達する時、前記第二装置は前記中断指示信号を発信することを特徴とする請求項１に記載の電子装置システム。
【請求項１０】
前記ウェークアップ条件は開始値とオフセットを含み、
前記第二装置は、前記位置情報に従って、現在値を推定し、
前記現在値が、前記開始値に前記オフセットの倍数を加算又は減算した値に達するとき、前記第二装置は前記中断指示信号を発することを特徴とする請求項１に記載の電子装置システム。
【請求項１１】
電子装置システム内で低電力消耗を維持し、位置決め機能を提供する方法であって、
第一装置により、少なくともひとつのウェークアップ条件を運ぶ条件設定信号を発信し、前記条件設定信号を発した後、前記第一装置が低電力消耗のスリープモードに入る工程と、
第二装置により、前記条件設定信号を受信する工程と、
前記第二装置により、複数の衛星信号を連続して受信および処理をして、位置情報を取得する工程と、
前記第二装置により、前記位置情報に従って、ウェークアップ条件が成立するか判断する工程と、
ウェークアップ条件が成立するとき、前記第二装置により、中断指示信号を発信して、前記第一装置を起こす工程と、
を含むことを特徴とする方法。
【請求項１２】
第三装置により、リアルタイムで、前記位置情報を表示し、前記第一装置が前記スリープモードであるとき、前記第三装置が前記位置情報を表示しない工程を含むことを特徴とする請求項１１に記載の方法。
【請求項１３】
前記中断指示信号を発信した後、前記第二装置により、前記位置情報を前記第一装置に伝送する工程と、
前記第一装置により、前記第三装置に、前記位置情報を表示するように指示する
工程と、
を含むことを特徴とする請求項１２に記載の方法。
【請求項１４】
前記ウェークアップ条件は目標速度を含み、
前記方法はさらに、
前記第二装置により、前記位置情報に従って、現在の速度を推定する工程と、
前記現在の速度が前記目標速度に達する時、前記第二装置により、前記中断指示信号を発信する工程と、
を含むことを特徴とする請求項１１に記載の方法。
【請求項１５】
前記ウェークアップ条件は目標高度を含み、
前記方法はさらに、
前記第二装置により、前記位置情報に従って、現在の高度を推定する工程と、
前記現在の高度が前記目標高度に達する時、前記第二装置により、前記中断指示信号を発信する工程と、
を含むことを特徴とする請求項１１に記載の方法。
【請求項１６】
前記ウェークアップ条件は目標位置を含み、
前記方法はさらに、
前記第二装置により、前記位置情報に従って、現在の位置を推定する工程と、
前記現在の位置が前記目標位置に達する時、前記第二装置により、前記中断指示信号を発信する工程と、
を含むことを特徴とする請求項１１に記載の方法。
【請求項１７】
前記ウェークアップ条件は目標時間を含み、
前記方法はさらに、
前記第二装置により、現在の時間を取得する工程と、
前記現在の時間が前記目標時間に達する時、前記第二装置により、前記中断指示信号を発信する工程と、
を含むことを特徴とする請求項１１に記載の方法。
【請求項１８】
前記ウェークアップ条件は開始値とオフセットを含み、
前記方法はさらに、
前記第二装置により、前記位置情報に従って、現在値を推定する工程と、
前記現在値が、前記開始値に前記オフセットの倍数の値を加算又は減算した値に達する時、前記第二装置が、前記中断指示信号を発する工程を含むことを特徴とする請求項１１に記載の方法。
【発明の詳細な説明】
【技術分野】
【０００１】
本発明は、位置決めシステムに関するものであって、特に、低電力消耗位置決めシステムに関するものである。
【背景技術】
【０００２】
生活の質を改善する電子アプリケーションと製品はますます普及している。各種電子装置製品において、複数の機能性を整合する幾つかの製品があり、ユーザーの利便性を改善している。たとえば、グローバルポジショニング、短距離データ伝送および長距離データ伝送等の機能性を整合した携帯電話、タブレット型コンピュータまたはその他の電子装置がますます普及している。しかし、電子装置により提供される機能が増加するにつれて、電子装置の電力消耗も増加する。よって、電子装置に装備されているバッテリーの寿命を延長する低電力消耗の電子装置と方法が非常に必要とされている。
【発明の概要】
【発明が解決しようとする課題】
【０００３】
電子装置システムおよび電子装置システム内で低電力消耗を維持し、位置決め機能を提供する方法及び電力システムが提供される。
【課題を解決するための手段】
【０００４】
本発明の電子装置システムは、第一装置および第二装置を含む。第一装置の制御システムが作動し、少なくともノーマルモードおよび低電力消耗のスリープモードで操作する。第一装置は、少なくともひとつのウェークアップ条件を運ぶ条件設定信号を発信して、ノーマルモードからスリープモードに切り換わる。第一装置は、中断指示信号受信後、スリープモードからノーマルモードに切り換わる。第二装置は第一装置に結合され、複数の衛星信号を連続して受信ならびに処理をして、位置情報を取得する。第二装置は、第一装置から、条件設定信号を受信し、位置情報に従って、ウェークアップ条件が成立するか判断する。ウェークアップ条件が成立するとき、第二装置は中断指示信号を発信する。
【０００５】
電子装置システム中で低電力消耗を維持し、位置決め機能を提供する方法では、第一装置により、少なくともひとつのウェークアップ条件を運ぶ条件設定信号を発信し、第一装置が、条件設定信号を発した後、低電力消耗のスリープモードに進入する工程と、第二装置により、条件設定信号を受信する工程と、第二装置により、複数の衛星信号を連続して受信ならびに処理をして、位置情報を取得する工程と、第二装置により、位置情報に従って、ウェークアップ条件が成立するか判断する工程と、ウェークアップ条件が成立するとき、第二装置により、中断指示信号を発して、第一装置を起こす工程と、を含む。
【発明の効果】
【０００６】
低電力消耗を維持し、位置決め機能を提供することができる。
【図面の簡単な説明】
【０００７】
【図１】本発明の実施形態に係る電子装置システムを示す図である。
【図２】本発明の実施形態によるウェークアップ条件が成立するかを判断するコンセプトを示す図である。
【図３】本発明の他の例によるウェークアップ条件が成立するかを判断する別のコンセプトを示す図である。
【図４】本発明の他の例によるウェークアップ条件が成立するかを判断するさらに別のコンセプトを示す図である。
【図５】本発明の他の例によるウェークアップ条件が成立するかを判断するさらに別のコンセプトを示す図である。
【図６】本発明の実施形態に係る電子装置システム内で低電力消耗を維持し、位置決め機能を提供する方法のフローチャートである。
【発明を実施するための形態】
【０００８】
図１は、本発明の実施形態に係る電子装置システムを示す図である。電子装置システム１００は、複数の装置１１０、１２０、１３０および１４０を含み、装置１１０は、システム操作を制御するシステム中のマスター装置で、装置１２０、１３０、１４０は、補助機能を提供するシステム中の周辺機器である。マスター装置１１０と周辺機器１２０、１３０、１４０は、対応する通信インターフェース（ＩＮＴ）１２１、１３１、１４１により互いに結合されて、制御信号とデータを伝送する。
【０００９】
たとえば、マスター装置１１０は、携帯用電子機器（たとえば、携帯電話、ＰＤＡまたはポータブルまたはハンドヘルド電子装置）またはコンピュータ装置（たとえば、パソコン、タブレット型コンピュータまたはあらゆる携帯型コンピュータ装置）のアプリケーションプロセッサであり、中央処理装置、ストレージ媒体、および複数のハードウェアリソースとソフトウェアモジュールの少なくとも一つを含む。マスター装置１１０は、一組の操作システム機能または一組の所定のプラットフォーム管理機能に従って、電子装置システム１００内のハードウェアリソースとソフトウェアモジュールを管理し、システム操作を制御する周辺機器と相互に作用する。周辺機器１２０、１３０、１４０は、異なる補助機能を提供するチップまたはモジュールである。たとえば、周辺機器１２０、１３０、１４０は、グローバルポジショニングシステム（ＧＰＳ）レシーバチップまたはＧＰＳレシーバモジュール、ＷｉＦｉチップまたはＷｉＦｉモジュール、ＬＣＤチップまたはＬＣＤモジュール、ブルートゥースチップまたはブルートゥースモジュール等である。
【００１０】
注意すべきことは、図１では、周辺機器が３個示されているが、本発明はこれに限定されないことである。本発明のコンセプトは、３個以上または３個未満の周辺機器を含む電子装置システムで実行することができる。このほか、注意すべきことは、本発明の別の具体例において、マスター装置１１０と周辺機器１２０、１３０、１４０は別々のチップで実現され、または、マスター装置１１０とひとつ以上の周辺機器１２０、１３０、１４０は１つのチップに集積されているが、本発明は、それらに限定されないことである。
【００１１】
本実施形態によると、マスター装置１１０は、ノーマルモードとノーマルモードより低電力消耗のスリープモードの少なくともひとつのモードで操作する。マスター装置１１０がスリープモードで操作する時、システムクロックが停止する。これにより、マスター装置１１０は、基本的に機能せず、最も高い節電結果を達成する。本発明の実施態様において、周辺機器１２０、１３０、１４０のひとつ装置は、位置決め機能を有する装置である。たとえば、周辺機器１２０は、上述のＧＰＳレシーバチップまたはＧＰＳレシーバモジュールで、衛星信号を受信および処理して、位置情報を取得し、もうひとつの装置は、ディスプレイ機能を有する表示装置である。たとえば、周辺機器１３０は、上述のＬＣＤチップまたはＬＣＤモジュールで、即時に位置情報を表示するまたは別のシステム情報を表示する。ユーザーが、長時間、ＧＳＰ機能を必要とするが、電子装置システム１００ができるだけ節電効果を達することを望む時、ユーザーは、低電力消耗の位置決めメカニズムを起動して、電子装置システム１００を節電モードで操作し、同時に、位置決め能力を維持することができる。以下の記載で、提案される低電力消耗の位置決めメカニズムを詳細に説明する。
【００１２】
本実施形態によると、電子装置システム１００および／またはマスター装置１１０がノーマルモードで操作する時、ユーザーは、電子装置システム１００のユーザーインターフェースにより、あるウェークアップ条件を入力または設定する。ユーザーにより入力または設定されるウェークアップ条件に関する情報を受信後、マスター装置１１０は、ウェークアップ条件を運ぶ条件設定信号ＳＥＴを生成し、周辺機器１２０に発信する。条件設定信号ＳＥＴを発した後（または、別の例において、マスター装置１００が、周辺機器１２０により応答される少なくともひとつの肯定応答信号を受信した時）、マスター装置１１０は、ノーマルモードからスリープモードに切り換わる。マスター装置１１０がスリープモードに入ると、同様に、周辺機器１３０に、スリープモードに進入するよう通知する。周辺機器１３０がスリープモードに入った時、周辺機器１３０は位置情報を表示しない。
【００１３】
マスター装置１１０がスリープモードに入っても、周辺機器１２０はバックグラウンドで操作するので、即時に、位置情報を得ることができる。位置情報を取得後、周辺機器１２０は、位置情報に従って、マスター装置１１０により設定されるウェークアップ条件が成立するか判断する。ウェークアップ条件が成立するとき、周辺機器１２０は中断指示信号ＩＮＴを発して、マスター装置１１０を起こす。中断指示信号ＩＮＴを発した後、周辺機器１２０は、さらに、現在得られた位置情報Ｐ＿ＩＮＦＯをマスター装置１１０に伝送する。
【００１４】
本実施形態によると、マスター装置１１０と周辺機器１２０間の通信インターフェース１２１は、ひとつ以上のハードウェア装置、たとえば、汎用Ｉ／Ｏ（ＧＰＩＯ）、汎用非同期送受信機（ＵＡＲＴ）等を含み、条件設定信号ＳＥＴ、中断指示信号ＩＮＴおよび位置情報Ｐ＿ＩＮＦＯを送受信する。マスター装置１１０は、中断指示信号ＩＮＴ受信後、スリープモードからノーマルモードに切り換わる。位置情報Ｐ＿ＩＮＦＯ受信後、マスター装置１１０は、さらに、周辺機器１３０に、現在の位置情報を表示するように指示する。
【００１５】
本発明の他の例として、所定期間、位置情報を表示した後、マスター装置１１０および周辺機器１３０は、再度、スリープモードに入り、電池残量を節約する。本発明の他の例として、低電力消耗の位置決めメカニズムが起動されるので、ウェークアップ条件が成立するときだけ、マスター装置１１０および／または周辺機器１３０が起きるので、電子装置システム１００は最も高い節電パフォーマンスを達成する。
【００１６】
本発明の実施形態において、ウェークアップ条件は、目標時間、目標速度、目標高度、目標位置、目標数値またはそれらの組み合わせ等である。本発明の実施形態において、例えば、ウェークアップ条件が目標時間であるとき、周辺機器１２０は、現在得られた位置情報（または、マスター装置１１０から他の方法で得られる情報）から、現在の時間を得る。現在の時間が目標時間に達する時、周辺機器１２０は中断指示信号ＩＮＴを発信する。図２は、本発明の実施形態にウェークアップ条件が成立するかを判断するコンセプトを示す図である。
【００１７】
本発明の他の例として、ウェークアップ条件が目標速度であるとき、周辺機器１２０は、現在得られた位置情報に従って、現在の速度を推定する。たとえば、周辺機器１２０は、衛星信号に従って、電子装置システム１００の現在の位置の経緯度を得て、単位時間当たりの経緯度の変化量に従って、電子装置システム１００の移動速度を計算する。現在の速度が目標速度に達する時、周辺機器１２０は中断指示信号ＩＮＴを発する。注意すべきことは、本発明の具体例において、“達する”というのは、異なるシステム設計によって異なる意義を有することである。たとえば、現在の速度が増加して目標速度を超える時、現在の速度が減少して目標速度より遅くなるとき、現在の速度が目標速度に等しいまたは超える時、および、現在の速度が、目標速度に所定値を加減したものを超えるまたは低い時である。
【００１８】
本発明のさらに他の例として、ウェークアップ条件が目標高度のとき、周辺機器１２０は、現在得られた位置情報に従って、現在の高度を推定する。現在の高度が目標高度に達する時、周辺機器１２０は中断指示信号ＩＮＴを発する。注意すべきことは、同様に、“達する”というのは、異なるシステム設計によって異なる意義を有することである。たとえば、現在の高度が増加して目標高度を超過する時、現在の高度が減少して目標高度より低くなる時、現在の高度が目標高度に等しいまたは超過する時、現在の高度が、目標高度に所定値を加減したものを超えるまたは低い時である。
【００１９】
本発明のさらに他の例として、ウェークアップ条件が目標位置であるとき、周辺機器１２０は、現在得られた位置情報に従って、現在の位置を推定する。たとえば、周辺機器１２０は、電子装置システム１００の現在の経緯度に従って、現在の位置を得る。現在の位置が目標位置に達する時、周辺機器１２０は中断指示信号ＩＮＴを発する。注意すべきことは、同様に、“達する”というのは、異なるシステム設計によって異なる意義を有することである。たとえば、現在の位置が目標位置に接近するとき、現在の位置が目標位置であるとき、現在の位置が、目標位置を中心点とする所定範囲内にあるときである。
【００２０】
図３は、本発明の他の例によるウェークアップ条件が成立するかを判断する別のコンセプトを示す図で、Ｒは所定距離を示す。本例において、現在の位置が、目標位置を中心点とする所定領域３００内にあるとき、周辺機器１２０は中断指示信号ＩＮＴを発信する。この例において、ユーザーは目標位置に近い場合には、周辺機器１３０は、即時にユーザーに位置情報を表示し続けてもよい。
【００２１】
本発明の他の例によると、ウェークアップ条件は、開始値とオフセット、たとえば、開始時間と時間オフセット、開始速度と速度オフセット、開始高度と高度オフセット、開始位置と距離オフセットまたはそれらの組み合わせ等も含む。周辺機器１２０は、加算器または減算器、または、加算や減算操作が実行できるその他のユニットを含む。
【００２２】
図４は、本発明の他の例によるウェークアップ条件が成立するかの判断を説明するためのコンセプト図である。本例において、ウェークアップ条件は、開始時間ＴＳおよび時間オフセットＴＯを含む。周辺機器１２０により得られる現在の時間が、開始時間ＴＳに時間オフセットＴＯの倍数の時間を加算又は減算した時間と等しくなる毎に、周辺機器１２０は中断指示信号ＩＮＴを発する。図４に示されるように、現在の時間が、時間ＴＳ、（ＴＳ＋ＴＯ）、ＴＳ＋２ＴＯ）…に等しくなる毎に、周辺機器１２０は中断指示信号ＩＮＴを発する。
【００２３】
図５は、本発明の他の例によるウェークアップ条件が成立するかの判断を説明するためのためコンセプト図である。この例において、ウェークアップ条件は、開始速度ＳＳと速度オフセットＳＯを含む。周辺機器１２０により得られる現在の速度が、開始速度ＳＳに速度オフセットＳＯの倍数の速度を加算又は減算した時間と等しくなる毎に、周辺機器１２０は中断指示信号  ＩＮＴを発する。図５に示されるように、現在の速度が、（ＳＳ−ＳＯ）、ＳＳ、（ＳＳ＋ＳＯ）…等に等しくなる時毎に、周辺機器１２０は中断指示信号ＩＮＴを発する。
【００２４】
図６は、本発明の実施形態に係る電子装置システムで低電力消耗を維持しつつ、位置決め機能を提供する方法のフローチャートである。まず、第一装置により、少なくともひとつのウェークアップ条件を運ぶ条件設定信号を発信する（ステップＳ６０２）。第一装置は、条件設定信号を発した後、低電力消耗のスリープモードに入る。次に、第二装置により条件設定信号が受信される（ステップＳ６０４）。次に、第二装置により、複数の衛星信号が連続して受信および処理されて、位置情報を取得する（ステップＳ６０６）。第二装置により、位置情報に従って、ウェークアップ条件が成立するか判断する（ステップＳ６０８）。ウェークアップ条件が成立するとき、第二装置により、中断指示信号を発信して、第一装置を起こす（ステップＳ６１０）。ウェークアップ条件が成立しない時、ステップＳ６０６に戻り、第二装置により、衛星信号を連続受信および処理して、最新の位置情報を取得する。
【００２５】
提案される低電力消耗の位置決めメカニズムに基づいて、ユーザーが低電力消耗の位置決めメカニズムを起動したいとき、または、マスター装置および／または別の装置（たとえば、表示装置）が自主的にスリープモードに進入する時、電子装置システムの最大節電パフォーマンスが達成される。マスター装置が機能を停止しても、電子装置システムは最新の位置情報を得るので、マスター装置の機能が停止して、位置決め制度が低下することがない。
【００２６】
本発明の上述の実施形態は多種の方式で実施される。たとえば、具体例として、ハードウェア、ソフトウェアまたはそれらの組み合わせを用いて実施される。当然のことながら、上述の機能を実行することができるあらゆるコンポーネントまたはコンポーネントの集合は、一般的に、上述の機能を制御するひとつ以上のプロセッサと見なされる。ひとつ以上のプロセッサは多種の方式で実施され、たとえば、専用のハードウェア、または、マイクロコードまたはソフトウェアを用いてプログラムされる汎用ハードウェアにより、上述の機能を実行する。
【００２７】
請求項中で素子を修飾するのに用いられる、たとえば、 “第一”、 “第二”、 “第三”等の序数詞は、優先権、優先順序、各素子間の前後順序または方法により実行される工程の順序を暗示するのではなく、標識となって、区分しているにすぎない。
【００２８】
本発明では好ましい実施形態を前述の通り開示したが、これらは決して本発明に限定するものではなく、当該技術を熟知する者なら誰でも、本発明の思想を脱しない範囲内で各種の変形や改良を加えることができる。
【符号の説明】
【００２９】
５００…半導体装置
１００…電子装置システム
１１０…マスター装置
１２０、１３０、１４０…周辺装置
１２１、１３１、１４１…通信インターフェース
３００…領域
ＩＮＴ、ＳＥＴ…信号
Ｐ＿ＩＮＦＯ…位置情報
Ｒ…距離
ＳＳ…速度
ＳＯ…速度オフセット
ＴＳ…時間
【図１】
2013171591.tif 000003
【図２】
2013171591.tif 000004
【図３】
2013171591.tif 000005
【図４】
2013171591.tif 000006
【図５】
2013171591.tif 000007
【図６】
2013171591.tif 000008